(57)【要約】【課題】  スーパーマーケットや百貨店、警察、消防署、レストラン等の制服を着用した従業員がいる店舗や施設等において制服を盗難等の手段で不正に入手し使用した者がいた場合に、盗難等を目的とした店舗や施設等への不正侵入が容易に行われてしまう。【解決手段】  店舗や施設等に設置されたゲートに情報読み取り手段３１０を備える。制服に付随した制服付随情報記憶手段１１０の記憶内容と身分証明書に付随した身分証明書付随情報記憶手段２１０の記憶内容とを情報読み取り手段３１０で読み取る。情報確認手段３２０は読み取った情報を記憶装置３３０内のデータベース３３１を参照して身分照合確認を行う。確認結果が不正であった場合は、アラーム出力手段３４０が警告を出力する。【選択図】      図１
2005352981.tif 000002
【特許請求の範囲】
【請求項１】
制服に付随した第１情報記憶手段の記憶内容と身分証明書に付随した第２情報記憶手段の記憶内容とを読み取る情報読み取り手段と、
前記第１情報記憶手段から読み取った第１読み取り結果と前記第２情報記憶手段から読み取った第２読み取り結果とを用いて身分照合確認を行う情報確認手段とを備えた身分照合システム。
【請求項２】
制服に付随した第１情報記憶手段と、
身分証明書に付随した第２情報記憶手段と、
前記第１情報記憶手段の記憶内容と前記第２情報記憶手段の記憶内容とを読み取る情報読み取り手段と、
前記第１情報記憶手段から読み取った第１読み取り結果と前記第２情報記憶手段から読み取った第２読み取り結果とを用いて身分照合確認を行う情報確認手段とを備えた身分照合システム。
【請求項３】
前記情報読み取り手段がＲＦＩＤのリーダーである請求項１または請求項２のうちいずれか１項記載の身分照合システム。
【請求項４】
制服に付随した第１情報記憶手段の記憶内容を読み取る第１情報読み取り手段と、
身分証明書に付随した第２情報記憶手段の記憶内容を読み取る第２情報読み取り手段と、
前記第１情報読み取り手段が読み取った第１読み取り結果と前記第２情報読み取り手段が読み取った第２読み取り結果とを用いて身分照合確認を行う情報確認手段とを備えた身分照合システム。
【請求項５】
制服に付随した第１情報記憶手段と、
身分証明書に付随した第２情報記憶手段と、
前記第１情報記憶手段の記憶内容を読み取る第１情報読み取り手段と、
前記第２情報記憶手段の記憶内容を読み取る第２情報読み取り手段と、
前記第１情報読み取り手段が読み取った第１読み取り結果と前記第２情報読み取り手段が読み取った第２読み取り結果とを用いて身分照合確認を行う情報確認手段とを備えた身分照合システム。
【請求項６】
前記第１情報読み取り手段と前記第２情報読み取り手段のうち少なくともいずれか一方がＲＦＩＤのリーダーである請求項４または請求項５のうちいずれか１項記載の身分照合システム。
【請求項７】
前記第１情報読み取り手段による読み取りと前記第２情報読み取り手段による読み取りとを同時に行うことを特徴とする請求項４から請求項６のうちいずれか１項記載の身分照合システム。
【請求項８】
前記第１情報記憶手段と前記第２情報記憶手段のうち少なくともいずれか一方がＲＦＩＤである請求項１から請求項７のうちいずれか１項記載の身分照合システム。
【請求項９】
前記第１情報記憶手段の記憶内容と個人情報との対応付けと前記第２情報記憶手段の記憶内容と前記個人情報との対応付けとを格納する記憶装置を備え、
前記情報確認手段は前記記憶装置を参照して前記第１読み取り結果に対応する個人情報と前記第２読み取り結果に対応する個人情報とが一致するかを確認する請求項１から請求項８のうちいずれか１項記載の身分照合システム。
【請求項１０】
前記身分照合確認結果が不正であった場合に警告を出力するアラーム出力手段を備えた請求項１から請求項９のうちいずれか１項記載の身分照合システム。
【請求項１１】
制服に付随した第１情報記憶手段の記憶内容を読み取るステップと、身分証明書に付随した第２情報記憶手段の記憶内容を読み取るステップと、
前記第１情報記憶手段から読み取った第１読み取り結果と前記第２情報記憶手段から読み取った第２読み取り結果とを用いて身分照合確認を行うステップとを備えた身分照合方法。
【請求項１２】
前記第１情報記憶手段の記憶内容と個人情報との対応付けと前記第２情報記憶手段の記憶内容と前記個人情報との対応付けとを格納する記憶装置を参照して前記第１読み取り結果に対応する個人情報と前記第２読み取り結果に対応する個人情報とが一致するかを確認する請求項１１記載の身分照合方法。
【請求項１３】
制服に付随した第１情報記憶手段の記憶内容を読み取る処理と、身分証明書に付随した第２情報記憶手段の記憶内容を読み取る処理と、
前記第１情報記憶手段から読み取った第１読み取り結果と前記第２情報記憶手段から読み取った第２読み取り結果とを用いて身分照合確認を行う処理とをコンピュータに実行させるためのプログラム。
【発明の詳細な説明】
【技術分野】
【０００１】
本発明は、身分照合システム、身分照合方法およびプログラムに関し、特に、入場者が制服を着用する部署での身分照合システムに関する。
【背景技術】
【０００２】
例えばチェーン展開する店舗の従業員用や、警備会社、警察、消防署等では統一された制服を使用しており、これら制服を着用することにより対応付けられた業務に従事していることを第三者に示すことが可能となっている。しかるにこれら制服を従業員以外が着用したならば、特に店舗規模が大きく全店員の顔が従業員間で完全に把握できていない場合などに、例えば店舗内におかれた商品を店舗外に持ち出す、従業員のみが入ることができる部屋に入り売上金を持ち出すなどといった各種不正を容易に行うことが可能となる。
【０００３】
このような制服の悪用を防止するための従来の関連技術としては、例えば特許文献１記載のものがあげられる。特許文献１に記載された技術は、制服を管理するための技術であり、制服に取り付けられた肩パットもしくはワッペン内に埋め込んだ当該制服の所有者の個人情報を記録した記録媒体物と、この記録媒体物に記憶されたデータを読み取る装置とこの個人情報を管理する管理プログラムにより管理することを特徴とする。
【０００４】
一方、店舗等への従業員の入退場の管理方法としては、各従業員に顔写真等のついた身分証明書を携帯させ、入退場の際に身分証明書に記憶された情報を読み取らせ、不正入場かどうかを確認するという方法がとられている。
【０００５】
【特許文献１】特開２００３−０６４５１７号公報（第２−３頁、図２）
【発明の開示】
【発明が解決しようとする課題】
【０００６】
特許文献１に記載された技術は、制服自体の資産としての管理のみ検討されており、制服を着用した人の管理の視点では検討されていない。従って、制服の不正使用に関しては考慮されていないという問題点がある。
【０００７】
身分証明書を使用する方式では、多くの従業員が出入りする店舗では個々の身分証明書に付いた顔写真と携帯している人の顔が同一であるかどうかを全て確認するのは難しく、入退場の際に身分証明書に記憶された情報が、入場する人として適切であるかだけをチェックしているだけである。従って、身分証明書自体が盗難等で不正入手、不正使用されるされる可能性があるという問題点がある。
【０００８】
本発明の目的は、制服の不正使用を防止することを可能とする身分照合システム、身分照合方法およびプログラムを提供することにある。
【課題を解決するための手段】
【０００９】
本発明の身分照合システムは、制服に付随した第１情報記憶手段の記憶内容と身分証明書に付随した第２情報記憶手段の記憶内容とを読み取る情報読み取り手段と、
前記第１情報記憶手段から読み取った第１読み取り結果と前記第２情報記憶手段から読み取った第２読み取り結果とを用いて身分照合確認を行う情報確認手段とを備える。
【００１０】
本発明の身分照合システムは、制服に付随した第１情報記憶手段と、
身分証明書に付随した第２情報記憶手段と、
前記第１情報記憶手段の記憶内容と前記第２情報記憶手段の記憶内容とを読み取る情報読み取り手段と、
前記第１情報記憶手段から読み取った第１読み取り結果と前記第２情報記憶手段から読み取った第２読み取り結果とを用いて身分照合確認を行う情報確認手段とを備えるようにしてもよい。
【００１１】
本発明の身分照合システムは、前記情報読み取り手段がＲＦＩＤのリーダーであるようにしてもよい。
【００１２】
本発明の身分照合システムは、制服に付随した第１情報記憶手段の記憶内容を読み取る第１情報読み取り手段と、
身分証明書に付随した第２情報記憶手段の記憶内容を読み取る第２情報読み取り手段と、
前記第１情報読み取り手段が読み取った第１読み取り結果と前記第２情報読み取り手段が読み取った第２読み取り結果とを用いて身分照合確認を行う情報確認手段とを備えるようにしてもよい。
【００１３】
本発明の身分照合システムは、制服に付随した第１情報記憶手段と、
身分証明書に付随した第２情報記憶手段と、
前記第１情報記憶手段の記憶内容を読み取る第１情報読み取り手段と、
前記第２情報記憶手段の記憶内容を読み取る第２情報読み取り手段と、
前記第１情報読み取り手段が読み取った第１読み取り結果と前記第２情報読み取り手段が読み取った第２読み取り結果とを用いて身分照合確認を行う情報確認手段とを備えるようにしてもよい。
【００１４】
本発明の身分照合システムは、前記第１情報読み取り手段と前記第２情報読み取り手段のうち少なくともいずれか一方がＲＦＩＤのリーダーであるようにしてもよい。
【００１５】
本発明の身分照合システムは、前記第１情報読み取り手段による読み取りと前記第２情報読み取り手段による読み取りとを同時に行うようにしてもよい。
【００１６】
本発明の身分照合システムは、前記第１情報記憶手段と前記第２情報記憶手段のうち少なくともいずれか一方がＲＦＩＤであるようにしてもよい。
【００１７】
本発明の身分照合システムは、前記第１情報記憶手段の記憶内容と個人情報との対応付けと前記第２情報記憶手段の記憶内容と前記個人情報との対応付けとを格納する記憶装置を備え、
前記情報確認手段は前記記憶装置を参照して前記第１読み取り結果に対応する個人情報と前記第２読み取り結果に対応する個人情報とが一致するかを確認するようにしてもよい。
【００１８】
本発明の身分照合システムは、前記身分照合確認結果が不正であった場合に警告を出力するアラーム出力手段を備えるようにしてもよい。
【００１９】
本発明の身分照合方法は、制服に付随した第１情報記憶手段の記憶内容を読み取るステップと、身分証明書に付随した第２情報記憶手段の記憶内容を読み取るステップと、
前記第１情報記憶手段から読み取った第１読み取り結果と前記第２情報記憶手段から読み取った第２読み取り結果とを用いて身分照合確認を行うステップとを備える。
【００２０】
本発明の身分照合方法は、前記第１情報記憶手段の記憶内容と個人情報との対応付けと前記第２情報記憶手段の記憶内容と前記個人情報との対応付けとを格納する記憶装置を参照して前記第１読み取り結果に対応する個人情報と前記第２読み取り結果に対応する個人情報とが一致するかを確認するようにしてもよい。
【００２１】
本発明のプログラムは、制服に付随した第１情報記憶手段の記憶内容を読み取る処理と、身分証明書に付随した第２情報記憶手段の記憶内容を読み取る処理と、
前記第１情報記憶手段から読み取った第１読み取り結果と前記第２情報記憶手段から読み取った第２読み取り結果とを用いて身分照合確認を行う処理とをコンピュータに実行させる。
【発明の効果】
【００２２】
本発明によれば、制服に付随させた情報記憶手段内の情報と身分証明書に付随させた情報記憶手段内の情報とを用いてチェックするため、不正に入手した制服を着用した人による店舗等への不正侵入を防止する効果がある。
【発明を実施するための最良の形態】
【００２３】
本発明を実施するための最良の形態について図面を参照して詳細に説明する。図１は本発明の第１の実施の形態の構成を示すブロック図である。図１を参照すると、第１の実施の形態は、制服付随情報記憶手段１１０、身分証明書付随情報記憶手段２１０、情報読み取り手段３１０、情報確認手段３２０、記憶装置３３０、アラーム出力手段３４０を含む。記憶装置３３０はデータベース３３１を格納する。
【００２４】
本実施の形態では店舗等で勤務する従業員用に情報記憶手段付きの制服が支給されているものとする。情報記憶手段付きの制服の例を図２に示す。図２では制服１００に制服付随情報記憶手段１１０が付随されている。ここでの「付随」とは、記憶媒体等に貼り付けられたものに限らず、表面につけられたり、印刷されたり、吊り下げられたり、内蔵されたりする場合など、記憶媒体等に付属していることが明らかな状態をいう。制服付随情報記憶手段１１０に、個々の制服を特定するための情報が記憶されているものとする。特定するための情報とは、例えばあらかじめ発行されたＩＤ（identification）番号である。
【００２５】
情報記憶手段付きの身分証明書の例を図３に示す。図３の身分証明書２００は、社名２０１、姓名２０２、写真２０３、身分証明書付随情報記憶手段２１０を含む。身分証明書付随情報記憶手段２１０には従業員を特定するためのＩＤ番号等の情報が記憶されているものとする。身分証明書は、特定の場所へ入場を許可された人に与えられる入場証、入門証、入館証、入室証等を含む。
【００２６】
図４は第１の実施の形態の運用例を示す図である。店舗における警備を担当する部門等が、あらかじめセキュリティ用のゲート等（情報読み取りゲート３００）を設置する。情報読み取りゲート３００には、図示しないが、情報読み取り手段３１０が取り付けられている。
【００２７】
情報読み取り手段３１０は、制服に付随された制服付随情報記憶手段１１０の記憶内容および身分証明書に付随された身分証明書付随情報記憶手段２１０の記憶内容を読み取り、読み取り結果を情報確認手段３２０に送信する。情報確認手段３２０は、制服付随情報記憶手段１１０および身分証明書付随情報記憶手段２１０の記憶内容をデータベース３３１の記憶内容と照合し、不正に制服を着用しているかどうかを判定する。データベース３３１には、制服付随情報記憶手段１１０の記憶内容と個人情報の対応付け、および身分証明書付随情報記憶手段２１０の記憶内容と個人情報の対応付けをあらかじめ記憶させておく。個人情報とは、従業員等を特定するための情報で、例えば氏名、社員番号等である。アラーム出力手段３４０は、情報確認手段３２０が不正に制服を着用していると判定したときに、警告を出力する。
【００２８】
制服付随情報記憶手段１１０や身分証明書付随情報記憶手段２１０を実現するための手段としては、例えばＲＦＩＤ（Radio Frequency Identification）、バーコード、２次元バーコード、非接触ＩＣカード等が考えられる。以下ではＲＦＩＤを使用した場合について述べる。
【００２９】
次に、第１の実施の形態の動作について説明する。図５は第１の実施の形態の動作を示す流れ図である。
【００３０】
本実施の形態では、店舗等の従業員は身分証明書付随情報記憶手段２１０付きの身分証明書２００を例えば制服１００の胸の部分に取り付けるなどで、所持しなければならないものとする。
【００３１】
店舗における警備を担当する部門等が、図４に示すようにあらかじめセキュリティ用の情報読み取りゲート３００を設置しておき、情報読み取りゲート３００を作動させる（ステップＳ１）。
【００３２】
この店舗において、制服を着用した従業員が情報読み取りゲート３００を通過したときに、情報読み取りゲート３００に取り付けられた情報読み取り手段３１０が従業員の制服１００に付随した制服付随情報記憶手段１１０の記憶内容と身分証明書２００に付随した身分証明書付随情報記憶手段２１０の記憶内容を同時に読み取る（ステップＳ２）。ここで、情報読み取り手段３１０としてＲＦＩＤのリーダーを使用し、制服付随情報記憶手段１１０と身分証明書付随情報記憶手段２１０としてＲＦＩＤを用いることにより、数十センチ〜数メートル離れていても情報の読み取りが可能となる。従って、図４のような構成にて特に人手で情報の読み取り作業を行わなくとも自動的に読み取るということを実現することが可能となる。
【００３３】
情報確認手段３２０は、情報読み取り手段３１０にて読み取られた制服付随情報記憶手段１１０の記憶内容と身分証明書付随情報記憶手段２１０の記憶内容がデータベース３３１にあらかじめ記憶されている制服および身分証明書と個人情報の対応付けと一致するかどうかの確認を行う（ステップＳ３）。具体的には、情報確認手段３２０は、情報読み取り手段３１０が読み取った制服付随情報記憶手段１１０の記憶内容に対応する個人情報をデータベース３３１を検索して抽出する。次に、情報確認手段３２０は、情報読み取り手段３１０が読み取った身分証明書付随情報記憶手段２１０の記憶内容に対応する個人情報をデータベース３３１を検索して抽出する。情報確認手段３２０は、この２つの個人情報を照合して一致するかを確認する。検索順序は上記の逆でもよい。
【００３４】
確認結果が一致すれば不正が無いものと判断し、一致しない場合は不正があったものと判断し（ステップＳ４）、アラーム出力手段３４０より警告を出力し（ステップＳ５）、警備員による該当従業員に対する不正の確認作業を行う（ステップＳ６）。
【００３５】
このような方法を用いることにより自動的に行われ、かつ精度の高い身分照合が可能となる。
【００３６】
なお、例えば模造品の制服１００を使用しており制服付随情報記憶手段１１０が存在しない場合、もしくは身分証明書２００を携帯していないもしくは身分証明書２００が模造品で身分証明書付随情報記憶手段２１０が存在していない場合は、ステップＳ２の情報読み取りの際に異常が検出されるためデータベース３３１に照合することなくアラーム出力手段３４０より警告を出力するものとする。
【００３７】
次に、本発明の第２の実施の形態について説明する。図６は第２の実施の形態の構成を示すブロック図である。
【００３８】
第１の実施の形態は、制服付随情報記憶手段１１０の記憶内容と身分証明書付随情報記憶手段２１０の記憶内容の読み出しをＲＦＩＤのリーダーを用いて同時に行う例を示したが、例えば始めにどちらか一方を専用の読み取り装置で読み取り、次に残りの一方を別の専用読み取り装置で読み取るといった実現方法も考えられる。第２の実施の形態は、この方式である。例えば制服付随情報記憶手段１１０はＲＦＩＤであるが、身分証明書付随情報記憶手段２１０が非接触ＩＣカードであった場合は、非接触ＩＣカードの内容は図４のようなゲートで読み取ることはできないため、例えば身分証明書付随情報記憶手段２１０用に用意された専用の情報読み取り手段３１２にて情報を読み取らせ、次に図４のようなゲートを使用し制服付随情報記憶手段１１０の記憶内容を情報読み取り手段３１１で読み取らせるという方式も考えられる。この場合、情報確認手段３２０は、情報読み取り手段３１２が読み取った読み取り結果と情報読み取り手段３１１が読み取った読み取り結果とを用いて身分照合確認を行う。読み取り順序は上記の逆でもよい。
【００３９】
本発明の第１、第２の実施の形態の情報読み取り手段３１０、３１１、３１２、情報確認手段３２０、アラーム出力手段３４０の動作はコンピュータ・プログラム処理により行わせることが可能である。すなわち、記録媒体に記録したプログラムをコンピュータに読み込ませるか、あるいは、ネットワークからプログラムをコンピュータに読み込ませて、第１、第２の実施の形態で説明した動作を実行させる。
【産業上の利用可能性】
【００４０】
本発明によれば、スーパーマーケットや百貨店、警察、消防署、レストラン等の制服を着用した従業員がいる店舗や施設等の入退場管理システムといった用途に適用できる。
【図面の簡単な説明】
【００４１】
【図１】第１の実施の形態の構成を示すブロック図である。
【図２】情報記憶手段付きの制服の例を示す図である。
【図３】情報記憶手段付きの身分証明書の例を示す図である。
【図４】第１の実施の形態の運用例を示す図である。
【図５】第１の実施の形態の動作を示す流れ図である。
【図６】第２の実施の形態の構成を示すブロック図である。
【符号の説明】
【００４２】
１００    制服
１１０    制服付随情報記憶手段
２００    身分証明書
２０１    社名
２０２    姓名
２０３    写真
２１０    身分証明書付随情報記憶手段
３００    情報読み取りゲート
３１０    情報読み取り手段
３１１    情報読み取り手段
３１２    情報読み取り手段
３３０    記憶装置
３３１    データベース
３４０    アラーム出力手段
【図１】
2005352981.tif 000003
【図２】
2005352981.tif 000004
【図３】
2005352981.tif 000005
【図４】
2005352981.tif 000006
【図５】
2005352981.tif 000007
【図６】
2005352981.tif 000008